(57)【要約】【課題】寝ているときに子供などがベッドから落ちないようにするために、病院や子供用のベッドで見られる従来の硬いフェンスでは、寝返りや寝相などによって手や足をぶつけて怪我をするおそれがあった。また、フェンス自体の取り付けも限られており、はじめからフェンスの付いていないベッドやマットレス、床や畳などに敷く敷布団には対応していなかった。さらに、ベッドに上がり下りする際やベッドをソファー代わりに使用する場合は、フェンスが邪魔となっていた。【解決手段】スポンジや空気の入った袋などの収縮可能なやわらかい素材で、凸状で縦長の棒のように形成された３．フェンス部分をつくり、その３．フェンスを１．ベッドや敷布団などの端に置き、シーツなどをかぶせることにより上記の課題を解決します。【選択図】    図１
2005021605.tif 000002
【特許請求の範囲】
【請求項１】
寝相の悪い子供や大人などが、ベッドや敷布団などで寝ている間に、ベッドや敷布団などからはみ出たり落下したりするのを防止、もしくは掛け布団が敷布団からずり落ちたりベッドから落下するのを防止するため、収縮可能な凸状のフェンスをベッドや敷布団などの端の上に設けることを特徴とする。
【請求項２】
請求項１に関するフェンスにおいて、フェンスの断面を三角にすることを特徴とする。
【発明の詳細な説明】
【技術分野】
【０００１】
本発明は、寝ているときに手や足が、ベッドや敷布団などからはみ出たり、寝返りなどによって体や掛け布団などがベッドや敷布団から落下するのを防ぐためのフェンスに関するものである。
【背景技術】
【０００２】
従来、子供や大人などが寝ているときに、寝返りなどで体や掛け布団などがベッドから落ちるのを防ぐ手段として、病院のベッドや子供用のベッドに見られるように、ベッドの枠に固定する金属もしくは木製などの檻のような硬いフェンスなどがあり、そのフェンスでベッドの周りを囲い、体もしくは掛け布団などがベッドから落ちなくするものがあった。また、フェンスには折りたたみ式のものもあり、不要なときには折りたたむことによりベッドへの上り降りを軽減できるものがあった。だが、それらのフェンスでは床や畳の上に直接敷く敷布団やマットレスに対応するものはなかった。また、図１０のようにベッド自体に帯のようなベルトを取り付け体や掛け布団が落ちないようにする方法もあった。
【発明の開示】
【発明が解決しようとする課題】
【０００３】
ベッドで寝ているときに、金属や木製などの硬いフェンスでは、寝返りをして体を回転させたときや、寝相によって手や足を動かしたときなどに、手や足をフェンスにぶつけて怪我をするおそれがあった。また、フェンス自体が金属や木などの硬い素材でできており、ベッドの周りを囲うものであるため、フェンス自体をベッドの枠にしっかり固定しなくては効果がなく、はじめからフェンスの付いていないベッドなどへの取り付けは困難で、ベッドの枠がないマットレスや床や畳などに敷く敷布団には対応していなかった。さらに、ベッドに上がり下りする際やベッドをソファーみたいに座ったりして使用する場合は、折りたためるフェンスでは、毎回折りたたむ必要がありフェンスが邪魔となっていた。折りたためないフェンスにおいてはベッドをソファー代わりに使用することは難しかった。さらに図９のような檻のようなフェンスではすきまがあり、なおかつ図７のように、ベッドに対して直角に立っていたため、掛け布団とベッドとフェンスの間に隙間ができ保温性に優れていなかった。図１０のようにベッド自体に帯のようなベルトを取り付け、それにより体や掛け布団などが落ちないようにすると、寝ているときに体が圧迫され寝心地を害するおそれがあった。
【０００４】
本発明は、上記の課題に不備を感じてなされたものであり、寝返りによって体がベッドや敷布団などから落ちるのを防ぎ、寝相により手や足がはみ出すのを防ぎ、なおかつベッドを気軽にソファー代わりに使用できる保温性に優れた簡単に取り扱えるフェンスの提供を課題とする。
【課題を解決するための手段】
【０００５】
スポンジや空気の入った袋などの収縮可能なやわらかい素材で、凸状で縦長の棒のように形成されたフェンスをつくり、そのフェンスをベッドや敷布団などの端に置き、シーツなどをかぶせることにより上記の課題を解決します。
【０００６】
図１１のようにフェンスが動かないように、フェンスとフェンスの間を帯などでつなぎ合わせ、体重によって重みを持たせフェンスがずれ落ちないようにしてもよい。また図４のように７．ベッドパッドなどに直接取り付けてもよい。凸状のフェンスをベッドや敷布団などに置くだけなので、取り付けなどの取り扱いが簡単で、ベッドの枠のないマットレスにも対応できます。
【０００７】
請求項２において、図２のように６．フェンス部分の断面を三角にすることにより、限られた１．ベッドや敷布団のスペースを有効に使い、なおかつ寝返りで回転したときの力を少しずつ吸収し保温性を高めることができます。
【０００８】
本発明はベッドや敷布団などに後付けで取り付け可能なベッドフェンスとするが、最初から１．ベッドや４．ベッドマットと一体型の形状としてもよい。
【０００９】
本発明においてベッドや敷布団などで寝ているときに、寝相や寝返りなどで体や掛け布団が落ちたりするのを防ぐためのフェンスの実施形態としての一例を、以下に、図面に基づいて詳細に説明する。
【００１０】
図１に示すように、４．ベッドマットの上に図４のような６．フェンス部分と７．ベッドパッドが一体型となった３．本発明のフェンス、もしくは図１１のような６．フェンス部分と１２．帯が一体型になった３．本発明のフェンスを敷き、その上にシーツなどを掛け、２．掛け布団をかけます。寝るときには従来通り、２．掛け布団とシーツの間に体を入れ寝ます。１．ベッドをソファー代わりに使用するときや、１．ベッドに上り下りするときには３．本発明のフェンスがスポンジのようなやわらかい素材のため、そのままフェンスに座ったりのったりすることもできます。
【００１１】
請求項１において、６．フェンス部分の大きさ・形・長さなどは特定せず、両端だけでなく足元や頭上にもおいてもかまわない。
【発明の効果】
【００１２】
以上、本発明により以下の効果を得ることができます。
【発明を実施するための最良の形態】
【００１３】
３．本発明のフェンスは、従来の硬いフェンスとは違い８．ベッドの枠に固定する必要がなく、ベッドや敷布団などの上に置いてシーツをかけるだけなので、取り付け取り外しなどの取り扱いが簡単で、ベッドや敷布団、マットレスなどさまざまなタイプに対応できます。
【００１４】
収縮可能なやわらかい凸状の３．本発明のフェンスを１．ベッドや敷布団の端に設けることにより、寝返りで１．ベッドなどの端まで転がっていった時には、６．フェンス部分が邪魔となり、それ以上転がるには６．フェンス部分を乗り越えなくてはならず、１．ベッドや敷布団などからの落下を防ぐことができます。また、寝相などにより２．掛け布団がズレる場合においても、６．フェンス部分が２．掛け布団にあたりズレにくくするため、２．掛け布団が１．ベッドや敷布団などから落ちにくくなります。６．フェンス部分はスポンジのような収縮可能な素材でできているため、寝返りなどで手や足をぶつけても怪我をするおそれが少なく、安心して寝返りをうつことができます。
【００１５】
請求項２において、６．フェンス部分の断面が三角であるため、図8のように４．ベッドマットと２．掛け布団と６．フェンス部分の間にできる１０．すきまを小さくすることができ、保温性を向上させることができる。
【図面の簡単な説明】
【００１６】
【図１】本発明の取り付け立体イメージ図である。
【図２】本発明のフェンスの断面図である。
【図３】本発明のフェンスの上から見た図である。
【図４】本発明のフェンスの立体イメージ図である。
【図５】本発明を説明するためのベッドのイメージ図である。
【図６】本発明のフェンスをベッドに取り付けた場合のイメージ図である。
【図７】従来のフェンスでのすきまイメージ断面図である。
【図８】本発明のフェンスのすきまイメージ断面図である。
【図９】従来のフェンスの側面図である。
【図１０】ベッドにベルトを取り付けた場合のイメージ図である。
【図１１】本発明のフェンスの間を帯でつないだイメージ図である。
【符号の説明】
【００１７】
１    ベッド
２    掛け布団
３    本発明のフェンス
４    ベッドマット
５    枕
６    フェンス部分
７    ベッドパッド
８    ベッドの枠
９    従来のフェンス
１０  すきま
１１  ベルト
１２  帯
【図１】
2005021605.tif 000003
【図２】
2005021605.tif 000004
【図３】
2005021605.tif 000005
【図４】
2005021605.tif 000006
【図５】
2005021605.tif 000007
【図６】
2005021605.tif 000008
【図７】
2005021605.tif 000009
【図８】
2005021605.tif 000010
【図９】
2005021605.tif 000011
【図１０】
2005021605.tif 000012
【図１１】
2005021605.tif 000013